(57)【要約】      （修正有）【課題】適切な撮像範囲を設定し、焦点を合わせることが容易な撮像用支持具を提供する。【解決手段】撮像用支持具１は、底面部２と、底面部２から立ち上がった支持壁４と、底面部２と対向するように支持壁４から底面部２と平行に延びており、撮像端末を支持可能な天面部３とを備える。撮像端末を位置決めする撮像端末用位置決め部６を更に備え、天面部３に撮像用の開口３ａが形成されている。【選択図】図４
0003232765.tif 000002
【実用新案登録請求の範囲】
【請求項１】
底面部と、
前記底面部から立ち上がった支持壁と、
前記底面部と対向するように前記支持壁から前記底面部と平行に延びており、撮像端末を支持可能な天面部と
を備える撮像用支持具。
【請求項２】
前記撮像端末を位置決めする撮像端末用位置決め部を備える
請求項１に記載の撮像用支持具。
【請求項３】
前記天面部に撮像用の開口が形成されている
請求項１又は２に記載の撮像用支持具。
【請求項４】
前記底面部の一縁に沿って形成され、前記支持壁に交差する方向に延びる被撮像体用位置決め壁を備える
請求項１から３のいずれか一つに記載の撮像用支持具。
【請求項５】
前記天面部から垂下しており、前記被撮像体用位置決め壁の反対側に位置するリブを備える
請求項４に記載の撮像用支持具。
【請求項６】
前記支持壁は前記天面部の中央部分に配置される
請求項１から５のいずれか一つに記載の撮像用支持具。
【請求項７】
前記支持壁は、前記底面部及び前記天面部に対して直角に配置され、前記底面部の一縁及び前記天面部の一縁に連結し、
前記撮像端末用位置決め部は、前記天面部の一縁の反対側に位置する前記天面部の他縁から立ち上がった壁を有する
請求項２に記載の撮像用支持具。
【考案の詳細な説明】
【技術分野】
【０００１】
本考案は、撮像端末を支持する撮像用支持具に関する。
【背景技術】
【０００２】
撮像端末を支持するスタンド兼自撮り棒が提案されている。スタンド兼自撮り棒によって、撮像端末と被撮像体との相対的な位置を調整することができる（特許文献１参照）。
【先行技術文献】
【特許文献】
【０００３】
【特許文献１】特表２０２１−５１０２０８号公報
【考案の概要】
【考案が解決しようとする課題】
【０００４】
適切な撮像範囲を設定し、焦点を合わせるために、撮像端末と被撮像体との相対的な位置を調整することは重要である。
【０００５】
本開示は斯かる事情に鑑みてなされたものであり、適切な撮像範囲を設定し、焦点を合わせることが容易な撮像用支持具を提供することを目的とする。
【課題を解決するための手段】
【０００６】
本開示に係る撮像用支持具は、底面部と、前記底面部から立ち上がった支持壁と、前記底面部と対向するように前記支持壁から前記底面部と平行に延びており、撮像端末を支持可能な天面部とを備える。
【考案の効果】
【０００７】
本開示に係る撮像用支持具にあっては、例えば、底面部はテーブル又は台の上に置かれる。天面部に撮像端末を設置し、底面部、テーブル又は台に被撮像体が置かれる。天面部と底面部との間の寸法は略一定なので、撮像端末と被撮像体との間の距離も略一定となる。そのため、容易に適切な撮像範囲を設定し、焦点を合わせることができる。
【図面の簡単な説明】
【０００８】
【図１】実施の形態１に係る撮像用支持具の平面図である。
【図２】撮像用支持具の正面図である。
【図３】撮像用支持具の左側面図である。
【図４】撮像用支持具の斜視図である。
【図５】撮像端末を支持する撮像用支持具を示す斜視図である。
【図６】撮像端末を支持する撮像用支持具を示す斜視図である。
【図７】実施の形態２に係る撮像用支持具の斜視図である。
【図８】撮像用支持具の左側面図である。
【図９】撮像端末を支持する撮像用支持具を示す左側面図である。
【図１０】撮像端末を支持する撮像用支持具を示す平面図である。
【図１１】撮像端末を支持する撮像用支持具を示す平面図である。
【図１２】撮像端末を支持する撮像用支持具を示す平面図である。
【図１３】撮像端末を支持する撮像用支持具を示す平面図である。
【考案を実施するための形態】
【０００９】
（実施の形態１）
以下本考案を実施の形態１に係る撮像用支持具１を示す図面に基づいて説明する。図１は、撮像用支持具の平面図、図２は、撮像用支持具の正面図、図３は、撮像用支持具の左側面図、図４は、撮像用支持具の斜視図である。以下の説明では図の上下前後左右を使用する。撮像用支持具１は、底面部２、支持壁４及び天面部３を備える。底面部２は、前後に延びた平面視矩形をなす。底面部２の右縁部全体から支持壁４が上向きに突出する。支持壁４は、前後に延びた側面視矩形をなす。
【００１０】
天面部３は底面部２に対向する。天面部３は、支持壁４の上縁部から左右に延びる。天面部３は左右に長い平面視矩形をなす。天面部３の左右方向中央部に支持壁４は位置する。天面部３に上下に貫通した開口３ａが形成してある。開口３ａは天面部３の後部であって、支持壁４よりも左側に位置する。
【００１１】
天面部３の上面から壁６（撮像端末用位置決め部）が立ち上がっている。壁６は左右に延び、正面視帯状をなす。壁６は天面部３の左右幅全体に亘って設けられており、開口３ａよりも後側に位置する。壁６は天面部３の前縁部及び後縁部に平行である。なお壁６に代えて、天面部３の上面に線を引いて、前記線を撮像端末用位置決め部として使用してもよい。
【００１２】
被撮像体用位置決め壁５が、天面部３の前縁部と、底面部２の前縁部とを連結している。被撮像体用位置決め壁５は、天面部３及び底面部２の前縁部に沿って左右に延びた正面視矩形状をなす。被撮像体用位置決め壁５は、天面部３及び底面部２の前縁部全体に亘って設けられており、天面部３及び底面部２に直角である。
【００１３】
天面部３の前部下面であって、支持壁４よりも左側にリブ７が設けてある。リブ７は左右に延びた正面視帯状をなし、天面部３から垂下している。リブ７は、支持壁４と天面部３の左縁部との間に亘って設けられている。リブ７は支持壁４に直角である。リブ７の上下幅は天面部３及び底面部２の間の上下寸法よりも短い。
【００１４】
支持壁４の前縁部よりも右側に前壁８が設けられている。前壁８は、正面視矩形をなし、支持壁４及び天面部３の前縁部に連結されている。前壁８は、支持壁４及び天面部３に直角である。
【００１５】
図５は、撮像端末１０を支持する撮像用支持具１を示す斜視図である。図５に示すように、平面視四角形をなす撮像端末１０の背面右後隅部にレンズ１１が設けてある場合、壁６に撮像端末１０を当接させて位置決めし、レンズ１１が開口３ａの内側に配置されるように、撮像端末１０は天面部３の左側部分の上に置かれる。底面部２の上面に四角形の用紙３０（被撮像体）が置かれる。用紙３０の右後隅部にバーコード又は文字等の読み取り情報記載部３１が設けてある。用紙３０を被撮像体用位置決め壁５に当接させて位置決めし、読み取り情報記載部３１を開口３ａの下に配置させる。撮像端末１０は読み取り情報記載部３１に記載された情報を撮像する。撮像された画像から情報が読み取られる。
【００１６】
図６は、撮像端末２０を支持する撮像用支持具１を示す斜視図である。平面視四角形をなす撮像端末２０の背面左後隅部にレンズ２１が設けてある場合、図６に示すように、壁６に撮像端末２０を当接させて位置決めし、レンズ２１が開口３ａの内側に配置されるように、撮像端末２０は天面部３の右側部分の上に置かれる。撮像端末２０は読み取り情報記載部３１に記載された情報を撮像する。
【００１７】
実施の形態１に係る撮像用支持具１にあっては、天面部３と底面部２との間の寸法は略一定なので、撮像端末１０、２０と用紙３０との間の距離も略一定となる。そのため、容易に適切な撮像範囲を設定し、焦点を合わせることができる。
【００１８】
また壁６によって、撮像端末１０、２０を位置決めさせる。また開口３ａを通して撮像を行う。また壁６によって、用紙３０（被撮像体）を位置決めさせる。またリブ７を設けて剛性を高める。また支持壁４を天面部３の中央部分に配置し、天面部３の左側又は右側のいずれに撮像端末１０、２０を置いても、撮像端末１０、２０は支持壁４によって確実に支持される。
【００１９】
（実施の形態２）
以下本考案を実施の形態２に係る撮像用支持具１Ａを示す図面に基づいて説明する。図７は、撮像用支持具１Ａの斜視図、図８は、撮像用支持具１Ａの左側面図である。撮像用支持具１Ａは、底面部２Ａ、天面部３Ａ及び支持壁４Ａを備える。底面部２Ａは前後に延びる平面視矩形をなす。天面部３Ａは前後に延びる平面視矩形をなす。天面部３Ａは、底面部２Ａに対向するように、底面部２Ａの上側に設けられている。天面部３Ａの前後寸法は底面部２Ａよりも短い。
【００２０】
底面部２Ａ及び天面部３Ａの前縁部に支持壁４Ａが連結する。支持壁４Ａは左右に延びる正面視矩形をなす。支持壁４Ａは、底面部２Ａ及び天面部３Ａの前縁部全体に亘って設けられており、底面部２Ａ及び天面部３Ａに直角である。天面部３Ａの後縁部から壁６Ａ（撮像端末用位置決め部）が立ち上がっている。壁６Ａは左右に延び、正面視帯状をなす。壁６Ａは天面部３Ａの左右幅全体に亘って設けられている。壁６Ａは天面部３Ａの前縁部及び後縁部に平行である。
【００２１】
図９は、撮像端末１０、２０を支持する撮像用支持具１Ａを示す左側面図である。撮像用支持具１Ａは台に載せられる。例えば、撮像端末１０、２０のレンズ１１、２１の反対側を壁６Ａに当接させて位置決めし、撮像端末１０、２０のレンズ１１、２１が支持壁４Ａよりも前側に位置するように、撮像端末１０、２０は天面部３Ａの上に置かれる。用紙３０は、読み取り情報記載部３１がレンズ１１、２１の下側に位置するように、撮像用支持具１Ａの前側に配置される。撮像端末１０、２０は読み取り情報記載部３１に記載された情報を撮像する。なお底面部２Ａ及び天面部３Ａの間に用紙３０を挿入してもよい。
【００２２】
また以下のように、撮像端末１０、２０及び用紙３０を配置させて、撮像端末１０、２０は読み取り情報記載部３１に記載された情報を撮像してもよい。
図１０は、撮像端末１０を支持する撮像用支持具１Ａを示す平面図である。例えば、撮像端末１０のレンズ１１が天面部３Ａよりも左側に突出するように、撮像端末１０におけるレンズ１１側の側面を壁６Ａに当接させて位置決めする。読み取り情報記載部３１がレンズ１１の下側に位置するように、用紙３０を配置させる。撮像端末１０は読み取り情報記載部３１に記載された情報を撮像する。なお撮像端末１０におけるレンズ１１と反対側の側面を壁６Ａに当接させて位置決めし、レンズ１１を天面部３Ａよりも右側に突出させてもよい。
【００２３】
図１１は、撮像端末２０を支持する撮像用支持具１Ａを示す平面図である。例えば、撮像端末２０のレンズ２１が天面部３Ａよりも右側に突出するように、撮像端末２０におけるレンズ２１側の側面を壁６Ａに当接させて位置決めする。読み取り情報記載部３１がレンズ２１の下側に位置するように、用紙３０を配置させる。撮像端末２０は読み取り情報記載部３１に記載された情報を撮像する。なお撮像端末２０におけるレンズ２１と反対側の側面を壁６Ａに当接させて位置決めし、レンズ２１を天面部３Ａよりも左側に突出させてもよい。
【００２４】
図１２は、撮像端末１０を支持する撮像用支持具１Ａを示す平面図である。例えば、撮像端末１０のレンズ１１が天面部３Ａよりも右側に突出するように、撮像端末１０におけるレンズ１１側の端面を壁６Ａに当接させて位置決めする。読み取り情報記載部３１がレンズ１１の下側に位置するように、用紙３０を配置させる。撮像端末１０は読み取り情報記載部３１に記載された情報を撮像する。
【００２５】
図１３は、撮像端末２０を支持する撮像用支持具１Ａを示す平面図である。例えば、撮像端末２０のレンズ２１が天面部３Ａよりも左側に突出するように、撮像端末２０におけるレンズ２１側の端面を壁６Ａに当接させて位置決めする。読み取り情報記載部３１がレンズ１１の下側に位置するように、用紙３０を配置させる。撮像端末２０は読み取り情報記載部３１に記載された情報を撮像する。
【００２６】
実施の形態２に係る撮像用支持具１Ａにあっては、天面部３Ａと底面部２Ａとの間の寸法は略一定なので、撮像端末１０、２０と用紙３０との間の距離も略一定となる。そのため、容易に適切な撮像範囲を設定し、焦点を合わせることができる。
【００２７】
今回開示した実施の形態は、全ての点で例示であって、制限的なものではないと考えられるべきである。各実施例にて記載されている技術的特徴は互いに組み合わせることができ、本考案の範囲は、実用新案登録請求の範囲内での全ての変更及び実用新案登録請求の範囲と均等の範囲が含まれることが意図される。
【符号の説明】
【００２８】
１、１Ａ  撮像用支持具
２、２Ａ  底面部
３、３Ａ  天面部
３ａ  開口
４、４Ａ  支持壁
５  被撮像体用位置決め壁
６、６ａ  壁（撮像端末用位置決め部）
７  リブ
【図１】
0003232765.tif 000003
【図２】
0003232765.tif 000004
【図３】
0003232765.tif 000005
【図４】
0003232765.tif 000006
【図５】
0003232765.tif 000007
【図６】
0003232765.tif 000008
【図７】
0003232765.tif 000009
【図８】
0003232765.tif 000010
【図９】
0003232765.tif 000011
【図１０】
0003232765.tif 000012
【図１１】
0003232765.tif 000013
【図１２】
0003232765.tif 000014
【図１３】
0003232765.tif 000015